(57)【要約】【課題】インターネットショップ上の商品は、書籍は書籍、食品は食品等とジャンル分けされ、異なるジャンルの商品には異なるインターネットショップやディレクトリ構造が必要となる。また現在のディレクトリ型検索や全文検索では、詳しい商品内容や無名の商品を検索しきれない。またユーザが商品を閲覧した履歴情報は、一義的に生産者のために使用される。【解決手段】書籍分類の階層構造を利用した、デジタルデータとして他と区別できるすべてのものを検索するディレクトリ型検索システムと、コンテンツがデータベースのフィールドとして記録・操作される複数のＷＥＢサイトを、データベースのデータとして操作することで、インターネット上のＷＥＢサイトのコンテンツの詳細を検索する検索システムで、この課題を解決する。また商品の特徴を架空性と消費性を示す度数で表し、それを閲覧履歴として表示することでユーザが自分の性格を知るシステムで解決する。【選択図】なし【特許請求の範囲】
【請求項１】
デジタルデータとして他と区別できるすべての情報を、クライアントサーバシステムのサーバに記憶させた書籍分類ディレクトリ構造によって分類・操作する操作手段と、前記サーバで管理される複数のＷＥＢサイトのコンテンツを項目ごとに規格化し前記サーバ内のデータベースのフィールドとして登録することによって、前記サーバ内の複数のＷＥＢサイトの任意のデータをデータベースのデータとして操作する操作手段と、前記クライアントサーバシステムのクライアントとしてのＷＥＢサイト閲覧ユーザが前記データベースを検索システムとして利用する検索手段と、前記データをインターネット上の他の関連ＷＥＢサイトにリンクさせることによって、インターネット上の他の関連ＷＥＢサイトを前記ユーザが検索する検索手段とからなることを特徴とする検索システム。
【請求項２】
クライアントサーバシステムにおいて、サーバ上のインターネットショップにおける作品・商品の特徴を、「架空性が強いか現実性が強いか」を示す度数と、「消費用か生産用か」を示す度数で表し、その二つの度数を前記作品・商品のデータとしてサーバの記憶領域に記録し、前記作品・商品を閲覧したクライアントであるユーザに対し、サーバ内のそのユーザ用の記憶領域に閲覧した作品・商品の前記データを閲覧履歴として記録し、要求に応じてその閲覧履歴を前記ユーザに提示し、提示した閲覧履歴から把握できるユーザ自身の性格・傾向をユーザに伝えるシステム。
【発明の詳細な説明】
【技術分野】
【０００１】
本発明は、インターネット上のデータ検索システムに関するものである。
【背景技術】
【０００２】
従来のインターネット書店では、書籍および書籍関連のジャンルの商品だけを扱っている。
また一般のインターネットショップも、扱う商品のジャンルや出展（店）者の立場によって各ショップ自身がジャンル分けされたり、商品ジャンルごとに異なるディレクトリ構造を設けたりしている。
【０００３】
また、従来のＷＥＢサイトのコンテンツを検索する方法は、同一サーバ内のＷＥＢサイトであれ、インターネット上の他のサーバのＷＥＢサイトであれ、ほぼディレクトリ型検索か全文検索に限られる。
【非特許文献１】根元彰監修  「インターネット時代の学校図書館」東京電気大学出版局  ２００３年２月２５日発行  ｐ５４〜５７
【０００４】
また従来のインターネットショップにおける商品の選択肢は、ディレクトリ型検索で提示されるものであれば、ジャンル、名前、機能・内容の簡単な説明、値段など、通り一遍のものである。
また全文検索によるものであっても、書かれた文章の中の文言だけを検索している。
【０００５】
また、作品をユーザが検索・閲覧した履歴情報は、単にいつ誰が何をいくつ閲覧・購入したかの記録であり、また一義的には、ユーザの購買性向を知ろうとする生産者のためのデータとして利用されている。
【特許文献１】特開２０００−２４２６２６号公報
【発明の開示】
【発明が解決しようとする課題】
【０００６】
従来は、作者ジャンルや作品ジャンルごとに、また作者の営利・非営利・個人・法人などの立場ごとに、異なるインターネットショップが必要となる場合が多く、異なるジャンルを股にかけて出展（店）する者は、新たに出展（店）料を支払わなくてはならず、ユーザもサイトを移動しなくてはならない。また同じ店舗内でも書籍は書籍、電気製品は電気製品などのように商品がジャンル分けされ、サイト運営者はジャンルごとにディレクトリ構造を作らなければならない。
一方で、各ポータルサイトでは、どんなジャンルのＷＥＢサイトの作者・作品も載せることができるので、この課題は問題とはならないが、ポータルサイトが、検索システムそのものでＷＥＢサイト作者から対価を受け取るシステムとはなっていないし、検索結果に責任があるわけでもない。
【０００７】
また、従来のインターネットショップのディレクトリ型検索では、検索する商品のニュアンスや方針、作者の国籍、性別、好みなどの詳しい内容を選択肢として設けることは、階層が深く広くなりすぎるためにできない。
インターネット上の全文検索でも、コンテンツの内容しか検索できず、そのコンテンツ自体の傾向などは、検索できない。
【０００８】
さらに従来のインターネット書店の全文検索では、テキストボックスに書名や著者名を入れて検索するのみで、よく知られた書籍や作家を検索するには適しているが、埋もれた名著、あるいは無名の書籍や作家を膨大な情報の中から検索して探し当てるのは至難の業である。それは書籍だけでなくあらゆるジャンルの作品についても言うことができる。
【０００９】
また、ユーザの商品閲覧履歴の情報は、主にユーザの購買性向を生産者が把握、利用するために使用され、ユーザ自身のデータであるにもかかわらず、一義的にユーザのために使用されることはないし、ユーザに直接役立つ情報というわけでもない。
【課題を解決するための手段】
【００１０】
この課題を解決するための請求項１の発明は、書籍の分類法にのっとった階層構造を書籍以外の分野にも転用して、書籍だけでなく、動画、音楽、物、コンテンツ、ＷＥＢサイト、システム、場所、機関、企業、仕事、人間、商品、営利用でない非商品、など、デジタルデータとして他と区別できるものすべてを検索するシステムである。それが可能なのは、書籍の分類とは、書籍の内容すなわち知識の分類であるので、書籍の分類法は、書籍の分類形式を借りた、すべての知識の分類法であるからである。
【００１１】
またデータベースのフィールドに登録できるように、内容が項目別に整理された廉価なＷＥＢサイトを提供することによって、一つのサーバ内の複数のＷＥＢサイトのどの内容も、データベースのフィールド別データとして操作・検索することが可能になるシステムである。
【００１２】
また前記ＷＥＢサイトの内容を、インターネット上の他の関連ＷＥＢサイトにリンクさせ、ユーザが検索システムとして使用することによって、ユーザがインターネット上の他の関連ＷＥＢサイトを検索する検索システムである。
【００１３】
請求項２の発明は、作品の特徴を、「架空性が強いか現実性が強いか」を示す度数と、「消費用か生産用か」を示す度数で表し、それをその作品を閲覧したユーザの履歴としてサーバに記憶させ、二つの度数を表す座標軸が作る座標平面上にプロットし、ユーザの履歴表示領域に表示することによって、ユーザが作品を閲覧すればするほど、前記二つの度数に関するユーザの性向をユーザ自身が知ることができるようにするシステムである。
【００１４】
ここでは、作品・商品を載せたＷＥＢサイトをインターネットショップＷＥＢサイトに登録する者を作者・出展（店）者といい、作品・商品を閲覧する者をユーザという。
【００１５】
また、書籍分類とは、おもに各書店で実施されている書籍の分類であるが、図書館で行われている図書の分類も含まれる。
【発明の効果】
【００１６】
本発明により、種々・複数のジャンルと立場の作品・作者を、一つのインターネットショップ内の一つの書籍分類のディレクトリ構造で表示でき、インターネットショップの運営者が新商品のために新ジャンルのディレクトリ構造を作ったり、出展（店）者がいくつもの異なるジャンルのサイトに出展（店）したり、ユーザが作品のジャンルごとにインターネットショップやディレクトリ構造を移動したり、異なるショップで何度も登録したりする必要がなくなる。
【００１７】
またユーザは、従来のディレクトリ型検索と全文検索ではできなかった詳しい検索を、同一サーバ内およびインターネット上の他のサーバの、ＷＥＢサイトのコンテンツに対して行えるようになる。その結果、無名の作家の無名の作品でも検索にかかる可能性が大きくなる。
【００１８】
またユーザは、作品を閲覧した、自分の消費性向に関する意味のある記録を自分自身のために使用できるので、閲覧する行為自体に価値が生じる。したがって、目的もなく好みに応じて閲覧するだけのユーザにも役に立ち、閲覧回数が増えていくシステムである。
【発明を実施するための最良の形態】
【００１９】
ジャンルを問わない作品群について、従来のディレクトリ型検索や全文検索だけではできない詳しい内容の検索をし、さらに検索して閲覧した結果がユーザによるユーザ自身の分析に役立つようにするという目的を、対価を得る形で実現した。
【実施例】
【００２０】
図１は、本発明の一実施例を示すシステムの構成図である。１はインターネットなどのネットワーク、２はそのネットワークに経路制御装置を通じて接続されたサーバである。３、３、３は、ユーザのパソコン等の端末で、１を介してサーバ２に接続し、情報を入出力する機能を備えたものである。
【００２１】
図２は、サーバ２の構成を示すブロック図である。４は入出力の制御手段で、インターネットを介したユーザとの間の入出力データを制御する。５は制御手段で、ＣＰＵなどから構成され、各部の制御や種々の演算等を行う。６〜１２は記憶手段で、それぞれに以下に説明するファイルが記憶されている。
【００２２】
６の制御ファイルには制御プログラムが書かれており、制御手段５で用いられるもので、７〜１２の記憶手段に記憶されているファイル群を制御する。１３〜１８は前記ファイル群の内容項目の一例を示すものであり、７と１３、８と１４、９と１５、１０と１６、１１と１７、１２と１８が対応している。
【００２３】
記憶手段７は、書店形式による本の各階案内ファイルを保持している。１３に示したこのファイルの内容は、便宜的に「１階文学」だけを３階層に表示しているが他の階も同様であり、３階層に限るわけでもない。記憶手段８は、商品ジャンルのファイルを保持している。一般的には１４に示す以外にも様々な商品ジャンルが存在するが、１４の「Ｆ一般商品」の中にあるように「木の製品」「金属の製品」「液体の製品」などと分類していけば、事実上、扱えないジャンルはなくなる。記憶手段９には、作品の価格や詳細分類など、作品の詳しい特徴項目のファイルが保持されている。より具体的には図３のＳ３やＳ８で示すようなものである。Ｓ３は１４で「Ａ小説」を、Ｓ８は１４で「Ｅ建築」を選んだ場合の例である。記憶手段１０には、各作品の架空性度数と消費度数ファイルが保持されている。これはたとえば、小説などフィクション性が高いものは架空性度数が７、マニュアル本などの架空性が低いものは架空性度数が１、写真集など純粋に消費するための作品は消費度数が高く７、マニュアル本や問題集のように生産手段として使われる作品は消費度数が低く１とし、その７×７＝４９通りの度数を、作品ごとに保持するものである。作品は書籍に限る必要はない。記憶手段１１は、各作品のタイトルや画像、要約内容など、本発明を利用したインターネット書店におけるコンテンツ（情報の内容）ファイルを保持している。このファイルの規格化されたデータをそのままＷＥＢサイトのコンテンツとして使用することによって、廉価なＷＥＢサイトを提供することができる。ここには、その商品に関連したＵＲＬも記録されており、これを通して、さらにインターネット上の他の作品サイトや関連ホームページにリンクすることができる。記憶手段１２は、ユーザのＩＤやパスワードと共に、作品閲覧履歴情報のファイルが保持されている。各ユーザがどのような消費度数、架空性度数を取りやすいかというユーザの性向が記録されることになる。
【００２４】
【表１】
2007323542.tif 000002
【００２５】
【表２】
2007323542.tif 000003
【００２６】
表１は、図２の記憶手段９に保持されたファイルの、より詳しい例であり、図３のＳ３やＳ８と同等のものである。ユーザがコンテンツにたどり着くまでに検索すべき選択肢のうち、もっとも詳細な選択肢をデータベース化したものの一例である。
【００２７】
表２は、図２の記憶手段１１のファイルの例を示したもので、本発明を利用したインターネット書店内の作家・作品ホームページのコンテンツをデータベース化したものである。このように選択肢もコンテンツも規格化してデータベース内に記録することで、様々なジャンルの詳細な検索項目で検索でき、かつ安価なホームページを作ることができる。
【００２８】
図３は、ユーザが図２の記憶手段７〜１０のファイルのデータすなわち選択肢を選択することによって、記憶手段１１の作品コンテンツや、他のインターネット上の関連ＵＲＬにリンクする動作を示す例のフローチャートである。例えばユーザが記憶手段７に相当するＳ１の「１階／文学」を選んで、記憶手段８に相当するＳ２で「Ａ小説」を選択、さらに記憶手段９に相当するＳ３で詳細な特徴を選択して最終的に小説作品コンテンツＳ４（記憶手段１１に相当）、それに関連したＷＥＢサイトＳ５にいたる流れを示している。
【００２９】
一方、ユーザがまず記憶手段８に相当するＳ６において、例えば「Ｅ建築」を選べば、記憶手段７に相当するＳ７の各階のジャンルに沿った建築物のリストが表示され、記憶手段９に相当するＳ８においてさらに詳細な特徴を選択して、記憶手段１１に相当するＳ４の建築作品コンテンツ、さらにはＳ５の関連ＷＥＢサイトにいたることができる。より具体的には、Ｓ６で「Ｅ建築」を選択した後、Ｓ７で「３階／趣味実用」のペット（趣味実用の奥の階層にある）を選択すれば、ペットの建築物すなわち「犬小屋」という意味になり、Ｓ８で、さらにオール電化された犬小屋を検索することができるというものである。あるいはＳ６で「Ｅ建築」を選択した後、Ｓ７で「９階／教育関連」を選択すれば、教育関係の建築物すなわち校舎などを検索することができる。またＳ６において「Ｆ一般商品」を選べば、本や建築以外の商品全般を選ぶことができる。なぜなら書店の本の分類法とは、本の分類形式を借りた知識の分類形式なので、Ｓ１の階層とＳ２のジャンルを組み合わせることであらゆる項目・ジャンルの商品を検索していくことができるからである。「９階／教育関連」の項目においても書籍以外の一般商品は、ノートや制服など一般に多数存在する。図３におけるＳ１とＳ２、Ｓ６とＳ７の順序は固定されていない。
【００３０】
また書籍の特徴を、「架空性」を示す度数と、「消費用かどうか」を示す度数で表し、その書籍を閲覧したユーザの好みをユーザの履歴として座標平面上に表した一例が図４である。図４は、ユーザの第一の度数が低く、第二の度数が高い傾向にあることを示している。これはリアルで純粋に楽しめる写真集のようなものが好きであることを示している。この情報は図２の記憶手段１０に作品情報として保存されており、ユーザがその作品を選んだ後は、記憶手段１２に記録され、必要に応じて表示される。
【産業上の利用可能性】
【００３１】
本発明に関わるシステムは、インターネット上の商品やＷＥＢサイトの詳しく効率的な検索を可能にし、検索自体を楽しくすることが可能であるため、産業上の利用可能性を有する。
【図面の簡単な説明】
【００３２】
【図１】本発明の一実施例を示すシステム構成図である。
【図２】同実施例におけるサーバの構成図である。
【図３】同実施例の動作を示すフローチャートである。
【図４】ユーザの性向を表現する実施例の図である。
【符号の説明】
【００３３】
１    インターネットなどのネットワーク
２    サーバ
３    ユーザの端末
４    サーバとインターネットの間の入出力制御手段
５    サーバの制御手段
６    サーバシステム内の制御ファイル
７〜１２    サーバシステム内のデータベースファイル
１３〜１８    データベースファイルの具体的な項目
１９    架空性と消費の度数を表した座標平面上のポイント
【図１】
2007323542.tif 000004
【図２】
2007323542.tif 000005
【図３】
2007323542.tif 000006
【図４】
2007323542.tif 000007